(57)【特許請求の範囲】
【請求項１】
回転体の中央に取り付けられ前記回転体と共に回転されるハウジングと、表面に表示が表れ、前記ハウジングに相対回転が可能に設けられた表示部材 と、該表示部材の重心の下部に備えた重量部材と、前記表示部材の表示が外部に露出されるように取り囲みながら、前記ハウジングに接合され前記表示部材を保護するカバーと、前記ハウジング、前記表示部材及び前記カバーの各周面に同一の磁極により対向するように取り付けられ、お互いに斥力を作用することにより前記表示部材が前記ハウジングと前記カバーに接触しないようにする複数の磁性帯を含んでなる摩擦防止手段とを含んでいることを特徴とする回転体に取り付ける非回転表示器。
【請求項２】
前記表示部材はその中心に形成された通穴が前記ハウジングの中心に設置された固定ピンに嵌め込まれることにより、前記ハウジングに対し相対回転が可能に結合されることを特徴とする請求項１に記載の回転体に取り付ける非回転表示器。
【請求項３】
前記ハウジングは、その背面の中心縁部に該ハウジングを回転体に固定する複数の固定具が設けられることを特徴とする請求項１乃至２に記載の回転体に取り付ける非回転表示器。
【請求項４】
前記ハウジングの背面の固定具内部には、前記固定具の曲げ強度を増大させるほぼ星模様の弾性支持具が圧入固定されている請求項３に記載の回転体に取り付ける非回転表示器。
【発明の詳細な説明】
【０００１】
【発明の属する技術分野】
本発明は車輪(Wheel)や扇風機のファンなどのような回転体の回転中心の表面に取り付けられ回転体の回転に関係なく、文字や模様やエンブレム又は広告などの表示を肉眼識別が可能に常に垂直に立てられ停止した状態のまま見せることができる回転体に取り付ける非回転表示器（Nonrotａting Billboａrd of Rotａtion Body）に関するものである。
【０００２】
【従来の技術】
車輪や扇風機のファンなどのように回転軸に装着され回転する回転体の表面には該回転体を回転軸に固定するボルトなどのような固定機構を遮蔽し回転体の外観をサッパリと仕上げる遮蔽カバーが取り付けられる。
【０００３】
このような回転体用遮蔽カバーの表面には通常メーカの広告を目的として、該メーカを象徴する模様、又は広告文字が浮彫りになるか, それが印刷された付着物が取り付けられる。 特に、車輪に取り付けるホイールカバーの場合にはホイールを固定する固定機構を遮蔽するとともに、ホイールの外観が車体の外観に一体化するようにすることにより、車の上品さを高める一種の外装材として活用される。
【０００４】
このような回転体用遮蔽カバーは回転軸から直接的な荷重を殆んど受けないため、強度を要しないので大体は合成樹脂、又はアルミニウムのような軽量の金属材により製造される。
【０００５】
ところが、車のホイールカバーや扇風機のファンのような回転体に取り付ける従来の遮蔽カバーは回転体に取り付けられ、該回転体に一体化され回転を共にするため、回転体が回転する時には該表面に表示された模様(又は広告)などを肉眼では識別が出来ないという問題点があった。
【０００６】
要するに、従来の車用ホイールカバーの場合、表面に自動車メーカのエンブレムなどの印が浮彫りになるが、車が走る時にはその印がホイールとともに高速回転されるため、肉眼で識別が難しくなるという問題点があり、従って、該用度が停止の際だけとして極限された。
【０００７】
国内実用公開第２０００ー７０３９号には上述したような従来車用ホイールカバーの問題点が解消できる'回転されないホイールカバー'が紹介されている。
【０００８】
この回転されないホイールカバーは中心の下に均衡推を備えながら炭素材質の回転摩擦材と砂器材質の固定摩擦材からなる潤滑手段の含まれた固定手段によりホイールのハブに固定され、ホイールが回転する場合にも前記均衡推の均衡作用と前記潤滑手段の潤滑作用により回転されず、停止した状態のまま該表面に浮彫りになるか、取り付けられたエンブレムや広告などの印が肉眼で識別が出来るように構成されていた。
【０００９】
しかしながら、従来回転されないホイールカバーは潤滑手段の潤滑の限界と走行の際、該表面において高速流動する雰囲気の抵抗により車が走る時、前後方向へ揺れるか、甚だしい場合はホイールに従い回転し完全に停止した状態が維持できないため、該表面の広告などの印をハッキリと見せることができないという問題点を有している。
【００１０】
【発明が解決しようとする課題】
本発明は、上述したような従来回転体用遮蔽カバー及び回転されないホイールカバーの問題点を改善するために案出されたものであり、例えば車のホイール(Wheel)や扇風機のファン等のような回転体の表面に取り付けられ内部の固定機構等を遮蔽することは勿論、回転体が回転される場合にも該表面に表示されたエンブレム又は広告等の印を完璧に停止した状態のままハッキリと見せることのできる回転体に取り付けられる非回転表示器を提供することを目的とする。
【００１１】
【課題の詳細な説明】
本発明による回転体に取り付けられる非回転表示器は、回転体の中央に取り付けられ前記回転体と共に回転されるハウジングと、表面に表示が表れ、前記ハウジングに相対回転が可能に設けられた表示部材 と、該表示部材の重心の下部に備えた重量部材と、前記表示部材の表示が外部に露出されるように取り囲みながら、前記ハウジングに接合され前記表示部材を保護するカバーと、前記ハウジング、前記表示部材及び前記カバーの各周面に同一の磁極により対向するように取り付けられ、お互いに斥力を作用することにより前記表示部材が前記ハウジングと前記カバーに接触しないようにする複数の磁性帯を含んでなる摩擦防止手段とを含んでなることを特徴とする。
【００１４】
なお、前記表示部材は該中心に形成された通穴が前記ハウジングの中心に設けられた固定ピンに挟まれることにより前記ハウジングに対して相対回転が可能に結合されることが望ましい。更に前記ハウジングは、その背面の中心縁部に該ハウジングを回転体に固定する複数の固定具が設けられ、この固定具内部には、前記固定具の曲げ強度を増大させるほぼ星模様の弾性支持具が圧入固定されていることが望ましい。
【００１５】
以上のような構成によると、相互接合しあっているハウジングとカバーは回転体の回転の際、該回転体と共に一体に回転するが、表示部材は、回転体と一体に回転されるハウジングとカバーと異なり、重量部材の重力により立てられた状態において、カバーに覆われ雰囲気抵抗を受けないながら摩擦防止手段すなわち、該周面と前記ハウジング及びカバーの周面から同一の磁極として対向しお互いに斥力が働く複数の磁性帯によりハウジングとカバーから分離されハウジングとカバーに摩擦されないことにより、停止した状態を維持するようになる。従って、本発明による回転体に取付けられる非回転表示器は回転体が高速に回転する場合にも該表示部材の表面に表示された広告や模様等の表示をカバーを介して完璧に停止した状態のままハッキリと見せることができる。
【００１６】
【発明の実施の形態】
以下、本発明による回転体に取付けられる非回転表示器の望ましい実施例を介して以上の各構成の機能と作用をさらに詳しく説明する。
【００１７】
図１と２は本発明の一実施例による回転体に取り付けられる非回転表示器の斜視図と分解斜視図であり、図３と４は各々図１のIII-III線断面図と図１の背面図である。そして、図５は本発明の一実施例による回転体に取り付けられる非回転表示器が装着された車のホイール斜視図であり、図６は図５のVI-VI線断面図であり、図７は本発明の一実施例による回転体に取り付けられる非回転表示器の使用状態図である。
【００１８】
図１と２に図示したように、本発明の一実施例による回転体に取り付けられる非回転表示器は、中央が凹んだ円形ハウジング(１０)と、前記ハウジング(１０)の中心に固定された固定ピン(１１)に該中心が挟まれ前記ハウジング(１０)に相対回転が可能に結合される表示部材(２０)、そして、前記表示部材(２０)を取り囲みながら前記ハウジング(１０)に接合されるカバー(３０)からなる。
【００１９】
ハウジング(１０)は車のホイールや扇風機のファン等のような回転体(図示なし)の中央に取り付けられる全面が凹んでいる合成樹脂材の円板として、図２と３に図示したように、該中心に固定ピン(１１)が設けられ、背面の中心縁部には該ハウジング(１０)を回転体に固定する複数の固定具(１０ａ)が設けられる。そして該全面の周面には円形磁性帯(１２)が取り付けられる。このようなハウジング(１０)は該固定具(１０ａ)がそれに対応する回転体の固定構造(図示なし)に強制嵌込み式により嵌込まれ固定することにより、回転体に結合され該回転体とともに一体に回転するようになる。このハウジングの背面の固定具(１０ａ)内部には、図４に図示したように、前記固定具(１０ａ)が相互支持させ、それらの曲げ強性を増大させるほぼ星模様の弾性支持具(４０)が圧入され固定される。前記固定具(１０ａ)や弾性支持具(４０)はハウジング(１０)を回転体に結合するための構成として、これらの構造や形式は回転体(図示なし)の構造や形状に応じて多様に変更されることができる。
【００２０】
表示部材(２０)は該全面にエンブレムや文字や模様、又は広告表示等の表示が浮彫りになるか、それが印刷された付着物が取り付けられた円板として、図３に図示したように、その中心に開けられた通穴(２０ａ)が前記ハウジング(１０)の固定ピン(１１)に嵌込まれることによりハウジング(１０)に相対回転が可能に固定される。この表示部材(２０)の縁部には前記ハウジング(１０)の全面縁部に取り付けられた磁性帯(１２)と前記カバー(３０)の背面縁部に取り付けられた磁性帯(３２)に対して各々同一の磁極として対向し斥力が働く磁性帯(２２)が取り付けられ、背面の中央の回転中心下には重量により垂直下方に向かい、該表示部材(２０)が立てられた状態のままに維持するようにする重量部材(２１)が設けられる。従って、表示部材(２０)は前記磁性帯(１２、２２、３２)の斥力働きによりハウジング(１０)の全面とカバー(３０)背面に接触せず浮かんでいるため、回転体と一体に回転されるハウジング(１０)及びカバー(３０)の回転のいかんによらず重量部材(２１)の重力により常に立てられ停止した状態を維持するようになる。
【００２１】
図３と図４に図示したように、カバー(３０)は前記表示部材(２０)の全面を取囲みながら前記ハウジング(１０)にボルト締め付け方式として結合される透明材質の合成樹脂材の円板として、該背面縁部に従い前記表示部材(２０)の磁性帯(２２)と同一の磁極として対向する磁性帯(３２)が取り付けられる。このカバー(３０)は回転体と一体に回転されるハウジング(１０)と共に一体に回転しながら表示部材(２０)を取り囲み該表示を外部に露出しながら外部ショックから保護し、該周囲に流動する雰囲気を遮り雰囲気の抵抗を受けなくようにする。このカバー(３０)背面の磁石帯(３２)はハウジング(１０)に取り付けられた磁性帯(１２)と共に表示部材(２０)の磁石帯(２２)に対して斥力が働き、表示部材(２０)を前記ハウジング(１０)とカバー(３０)から浮かべることによりそれらと摩擦されることがなくなる。
【００２２】
以上のような構成からなることにより本発明の一実施例による回転体に取り付けられる非回転表示器は、図５に図示したように車のホイールに装着される場合、図６に示したように、該ハウジング(１０)の背面に設けられた固定具(１０ａ)により車のホイール(１００)に固定取り付けられ、車が駐・停車している間にすなわち、ホイール(１００)が停止した状態においてはハウジング(１０)やカバー(３０)の傾きに関係なく表示部材(２０)が重量部材(２１)の重量により立てられた状態のまま維持されるので、表示部材(２０)に表示した広告やエンブレム等の表示を正常的に立てられた状態で外部に見せることができる。なお、車が走りホイール(１００)が回転する場合にもハウジング(１０)とカバー(３０)はホイール(１００)とともに回転するが、その間の表示部材(２０)は重量部材(２１)の作用により立てられ停止した状態において、磁性帯(１２、２２、３２)の斥力作用により前記ハウジング(１０)とカバー(３０)との間において浮上っているため、回転するハウジング(１０)とカバー(３０)のいずれの一面とも摩擦されずなお、カバー(３０)の遮蔽作用により走行に伴う空気の影響を受けないことから、停止した状態を維持し続けることができるので、図７に示したように車が走行する間にも該表示部材(２０)に表示された広告やエンブレム等の印を垂直に立て停止した状態に透明なカバー(３０)を通して肉眼識別が可能にハッキリと見せることができる。
【００２３】
このように、本発明による回転体に取り付けられる非回転表示器はそれが装着される回転体が停止した場合は勿論、回転が高速に回転する場合にも該表示部材に表示されたエンブレムや文字や模様、又は広告等の印を常に垂直に立てられ停止した状態において肉眼で識別が可能に外部に見せることができる。
【００２４】
図５と６の図面から説明なしの符号１０１はタイヤである。
【００２５】
以上からの詳細な説明のように、本発明による回転体に取り付けられる非回転表示器は、車ホイール(Wheel)や扇風機のファン等のような回転体の表面に取り付けられる回転体の回転いかんによらず、該表示部材に表示された文字や模様や広告又は、該メーカのエンブレム等の印を完璧に停止した状態のままハッキリと見せることができる。 従って、車のホイールや扇風機のファン等のように回転体付き製品に取り付ける場合、回転体の外観を改善し該製品の上品さを高めることができ、特に、タクシーやバス等の営業用車輛のホイールに取り付け使用する場合、広告装置として活用ができる。
【００２６】
本発明は該思想及び請求範囲を逸れず、先の実施例と異なる方式により多様に変更されることが有り得るので、本出願の特許請求範囲に基づく本出願の技術保護範囲はこの技術の分野において、通常の知識を有する者に自明な他の変更実施例まで拡大し解釈されるべきである。
【図面の簡単な説明】
【図１】本発明の実施例の斜視図である。
【図２】図１の分解図である。
【図３】図１のIII−IIIの断面図とその要部拡大図である。
【図４】図１の背面図である。
【図５】図１のものを車のホイールに装着した時の斜視図である。
【図６】図５のVI−VI断面図である。
【図７】図１のものを車に取付けた使用状態図である。
【符号の説明】
１０      円形ハウジング
１１      固定ピン
２０      表示部材
３０      カバー
【図１】
0003737971.tif 000002
【図２】
0003737971.tif 000003
【図３】
0003737971.tif 000004
【図４】
0003737971.tif 000005
【図５】
0003737971.tif 000006
【図６】
0003737971.tif 000007
【図７】
0003737971.tif 000008